(57)【要約】【課題】作業者の作業によって生じる開閉器本体と圧着端子とを接続の不具合を低減することができる開閉器用端子及び開閉器を提供する。【解決手段】開閉器用端子３０は、端子保持部材３１と、挿入口３５とを備える。端子保持部材３１は、電線の心線に取り付けられる圧着端子２０２を保持する。挿入口３５は、圧着端子２０２が挿入される挿入方向における端子保持部材３１の一端に設けられ、圧着端子２０２が挿入される。挿入方向における端子保持部材３１の他端は、端子保持部材３１の一端と電気的に接続され、かつ本体部２０と電気的機械的に接続されている。【選択図】図１
2019032979.tif 000002
【特許請求の範囲】
【請求項１】
電線の心線に取り付けられる圧着端子を保持する端子保持部材と、
前記圧着端子が挿入される挿入方向における前記端子保持部材の一端に設けられ、前記圧着端子が挿入される挿入口とを備え、
前記挿入方向における前記端子保持部材の他端は、前記一端と電気的に接続され、かつ開閉器本体と電気的機械的に接続されている
ことを特徴とする開閉器用端子。
【請求項２】
前記端子保持部材は、
導電性を有する平板が折り曲げられて、前記圧着端子を囲んでいる
ことを特徴とする請求項１に記載の開閉器用端子。
【請求項３】
前記端子保持部材の厚さ方向の両側のうち少なくとも一方側は、ばね性を有している
ことを特徴とする請求項２に記載の開閉器用端子。
【請求項４】
前記圧着端子が前記端子保持部材に正常に挿入されているか否かを表示する表示部を、更に備える
ことを特徴とする請求項１〜３のいずれか一項に記載の開閉器用端子。
【請求項５】
前記圧着端子が前記端子保持部材から抜けることを防止するロック部を、更に備える
ことを特徴とする請求項１〜４のいずれか一項に記載の開閉器用端子。
【請求項６】
前記圧着端子が挿入された状態である場合に、前記ロック部により前記圧着端子が前記端子保持部材から抜けることを防止された状態を解除する解除部を、更に備える
ことを特徴とする請求項５に記載の開閉器用端子。
【請求項７】
前記挿入口は、
前記挿入方向に対して直交する第１方向及び前記挿入方向と前記第１方向との双方に直交する第２方向のうち少なくとも一方の方向において、前記圧着端子を前記端子保持部材にガイドするガイド部を有する
ことを特徴とする請求項１〜６のいずれか一項に記載の開閉器用端子。
【請求項８】
前記端子保持部材は、一部が露出した状態で前記挿入口を有する保護部に収納されており、
前記保護部は、透明な部材で形成されている
ことを特徴とする請求項１〜７のいずれか一項に記載の開閉器用端子。
【請求項９】
前記端子保持部材に設けられ、前記端子保持部材と前記圧着端子との接続部位の温度を検出する温度検出部と、
前記温度検出部での検出結果を通知する温度通知部とを、更に備える
ことを特徴とする請求項１〜８のいずれか一項に記載の開閉器用端子。
【請求項１０】
前記端子保持部材に設けられ、前記圧着端子が挿入された状態で前記端子保持部材に流れる電流を計測する電流計測部と、
前記電流計測部の計測結果を通知する電流通知部とを、更に備える
ことを特徴とする請求項１〜９のいずれか一項に記載の開閉器用端子。
【請求項１１】
請求項１〜１０のいずれか一項に記載の開閉器用端子と、
前記開閉器用端子と負荷側端子との間の接続を開閉する機能を有する開閉器本体とを備える
ことを特徴とする開閉器。
【発明の詳細な説明】
【技術分野】
【０００１】
本発明は、開閉器用端子及び開閉器に関し、より詳細には電線を接続する開閉器用端子及び開閉器に関する。
【背景技術】
【０００２】
従来、商用電源のような系統電源に接続するために、主幹ブレーカ（開閉器本体）と系統電源に接続された主幹配線（電線）とを接続する必要がある。
【０００３】
例えば、特許文献１では、主幹ブレーカの系統電源側の端子と、主幹配線とが直接接続されている。
【先行技術文献】
【特許文献】
【０００４】
【特許文献１】特開２０１５−９１００１号公報
【発明の概要】
【発明が解決しようとする課題】
【０００５】
特許文献１では、主幹ブレーカの系統電源側の端子と、主幹配線との接続は、電気工事作業者が行っている。そのため、端子を主幹配線（主幹配線に接続された圧着端子）に締め付けるトルクは作業者によって異なる可能性がある。端子を主幹配線に締め付けるトルクが弱いと、ねじの緩み等が発生する。
【０００６】
本発明は上記課題に鑑みてなされ、作業者の作業によって生じる開閉器本体と圧着端子とを接続の不具合を低減することができる開閉器用端子及び開閉器を提供することを目的とする。
【課題を解決するための手段】
【０００７】
本開示に係る一態様の開閉器用端子は、電線の心線に取り付けられる圧着端子を保持する端子保持部材と、前記圧着端子が挿入される挿入方向における前記端子保持部材の一端に設けられ、前記圧着端子が挿入される挿入口とを備える。前記挿入方向における前記端子保持部材の他端は、前記一端と電気的に接続され、かつ開閉器本体と電気的機械的に接続されている。
【０００８】
本開示に係る一態様の開閉器は、上述した開閉器用端子と、前記開閉器用端子と負荷側端子との間の接続を開閉する機能を有する開閉器本体とを備える。
【発明の効果】
【０００９】
この開示によると、作業者の作業によって生じる開閉器と圧着端子とを接続の不具合を低減することができる。
【図面の簡単な説明】
【００１０】
【図１】図１Ａは、実施形態１に係る開閉器用端子の斜視図である。図１Ｂは、同上の開閉器用端子が有する端子保持部材の斜視図である。図１Ｃは、実施形態１に係る開閉器の概略図である。
【図２】図２は、実施形態１に係る分電盤で外扉、内扉が開いた状態の外観斜視図である。
【図３】図３Ａは、実施形態１に係る端子保持部材が形成される前の状態を表す図である。図３Ｂは、同上の端子保持部材を上方から見た図である。
【図４】図４Ａは、実施形態１に係る開閉器用端子に圧着端子が挿入される前の開閉器用端子の状態を表す図である。図４Ｂは、同上の開閉器用端子に圧着端子が挿入された後の開閉器用端子の状態を表す図である。
【図５】図５Ａ〜図５Ｄは、実施形態２に係る開閉器用端子を説明する図である。
【図６】図６は、実施形態３に係る開閉器用端子を説明する図である。
【図７】図７は、実施形態４に係る開閉器用端子を説明する図である。
【図８】図８は、開閉器用端子の変形例を説明する図である。
【発明を実施するための形態】
【００１１】
以下に説明する各実施形態及び変形例は、本発明の一例に過ぎず、本発明は、実施形態及び変形例に限定されない。この実施形態及び変形例以外であっても、本発明に係る技術的思想を逸脱しない範囲であれば、設計等に応じて種々の変更が可能である。
【００１２】
（実施形態１）
本実施形態の開閉器及び開閉器用端子について、図１Ａ〜図４Ｂを参照して説明する。
【００１３】
本実施形態の開閉器２は、分電盤１に収容され、商用電源に電気的に接続される主幹開閉器である。
【００１４】
ここで、「電気的に接続」とは、電気的に導通した状態の接続を意味し、直接的な接続だけでなく、例えば電線等の導体を介した間接的な接続も含む。
【００１５】
分電盤１は、図２に示すように、一面（前面）に開口を有するキャビネット１０と、キャビネット１０の開口を覆うようにキャビネット１０に取り付けられる扉と、を備える。分電盤１は、一例として、工場やオフィス等の建物（施設）に設置される。なお、本実施形態の開閉器２は、住宅に設置される分電盤に適用してもよい。また、扉は必須ではない。
【００１６】
以下では、分電盤１が壁に取り付けられた状態で、キャビネット１０を正面（開口部１０ａ側）から見たときの上下左右を基準として説明を行う。また、分電盤１が壁に取り付けられた状態でキャビネット１０を正面から見たときの奥行方向を前後方向とし、キャビネット１０の前面が前方を向いていることとして説明する。つまり、図１Ａ、図１Ｂ、図２等において「上」、「下」、「左」、「右」、「前」、「後」の矢印で示す通りに各方向を規定する。ただし、これらの方向は分電盤１の設置方向を規定する趣旨ではない。また、図面中の各方向を示す矢印は説明のために表記しているに過ぎず、実体を伴わない。
【００１７】
キャビネット１０は、開閉器２の他、１以上の分岐開閉器３を収容する。キャビネット１０の内部には取付部材４が配置され、取付部材４に複数の分岐開閉器３が取り付けられている。キャビネット１０には、交流電源（電源）に接続される電源線２０１（母線、電線）等の配線を通すための貫通孔１０ｂが設けられている。電源線２０１の先端部には、圧着端子２０２が設けられている。圧着端子２０２は、電源線２０１の心線に取り付けられた板形状の端子であり、電源線２０１と接続されている。また、圧着端子２０２の中央部位には、貫通孔２０３が設けられている（図１Ａ参照）。
【００１８】
キャビネット１０には、内扉１２がヒンジを介して開閉可能に取り付けられている。内扉１２が閉じた状態では内扉１２が開口部１０ａを覆い、内扉１２が開いた状態では開口部１０ａが露出している（図２参照）。内扉１２には、開閉器２のハンドル２３を露出させる第１の窓孔１３と、分岐開閉器３のハンドル３ａを露出させる第２の窓孔１４とが設けられている。また、キャビネット１０には、外扉１５がヒンジを介して開閉可能に取り付けられている。外扉１５が閉じた状態では外扉１５が内扉１２を覆い、外扉１５が開いた状態では内扉１２が露出している。
【００１９】
開閉器２は、商用電源からの電力を分岐開閉器３を介して、負荷に供給する。開閉器２は、本体部２０と開閉器用端子３０とを備える。本体部２０は、直方体状のケース２０ａを備えている。図１Ｃ、図２に示すように、ケース２０ａの上端部は３つの一次側の端子２１が設けられ、ケース２０ａの下端部には３つの二次側の端子２２（負荷側端子）が、３つの一次側の端子２１にそれぞれ対応付けられて設けられている。ケース２０ａの内部には、一次側の端子２１と対応する二次側の端子２２との間に電気的に接続された接点部が収納されている。開閉器２は、接点部を流れる主幹電流が、あらかじめ決められたしきい値を超えると、接点部を強制的に開極させる過電流保護機能を備えている。さらに、開閉器２は、漏電を検出すると、接点部を強制的に開極させる漏電保護機能を備えている。また、３つの一次側の端子２１は、開閉器用端子３０と電気的に接続されている（図１Ｃ参照）。
【００２０】
ケース２０ａの前面には接点部を手動で開閉させるためのハンドル２３が配置されている。３つの一次側の端子２１は、交流電源に電気的に接続される。本実施形態では、交流電源の配電方式が単相三線式である場合を例に説明する。電圧極（Ｌ１相、Ｌ２相）と中性極との３本の電源線２０１は、それぞれに対応する開閉器用端子３０に接続される。これにより、一次側の端子２１には、電圧極（Ｌ１相、Ｌ２相）と中性極との３本の電源線２０１が圧着端子２０２を介して電気的に接続される。３本の電源線２０１は、交流電源に電気的に接続されている。これにより、開閉器２は、３本の電源線２０１を介して交流電源に電気的に接続される。
【００２１】
３つの二次側の端子２２は、電圧極（Ｌ１相、Ｌ２相）と中性極との３本の導電バー５の一端に電気的にそれぞれ接続される。３本の導電バー５の各々は、金属製であって、上下方向に長尺となる帯板状に形成されている。３本の導電バー５の各々は、例えば、金属板にプレス加工を施すことによって形成される。３本の導電バー５の各々は、開閉器２を介して電源線２０１に電気的に接続されている。
【００２２】
取付部材４は、平面形状が矩形状の板である。キャビネット１０の内部において、キャビネット１０の後壁には一対のフレーム１６が固定されている。一対のフレーム１６の各々は、上下方向に長尺となる棒状に形成されている。一対のフレーム１６は、左右方向において間隔を空けて対向するように配置されている。取付部材４は、一対のフレーム１６間に跨って取り付けられている。取付部材４は、一対のフレーム１６に対して、例えばねじで固定されている。
【００２３】
キャビネット１０の内部であって、左右方向における一対のフレーム１６の略中間には、３本の導電バー５が取り付けられている。３本の導電バー５は、前後方向において間隔をあけて並ぶように配置されている（図２参照）。取付部材４には、導電バー５の左側及び右側のそれぞれに複数の分岐開閉器３が取り付けられている。なお、導電バー５の左側及び右側の各々において、複数の分岐開閉器３は、上下方向に並ぶように配置されている。導電バー５の前面は、導電バー５の前側に配置される合成樹脂製のカバー５ａで覆われている。
【００２４】
次に、開閉器用端子３０について説明する。
【００２５】
開閉器用端子３０は、端子保持部材３１と、保護部３４とを有している。
【００２６】
端子保持部材３１は、導電性を有しており、圧着端子２０２を保持する。端子保持部材３１の上下方向における上部は、略直方体形状であり、前後方向に対向する第１板部３１ａと第２板部３１ｂとの間には、圧着端子２０２が挿入されるための隙間３１ｅが形成されている（図１Ｂ参照）。また第１板部３１ａは、左右方向における両端に比べて中央部位が第２板部３１ｂに近くなるように湾曲している。第１板部３１ａは湾曲していることで、ばね性を有している。
【００２７】
端子保持部材３１の上下方向における上部である第１端部３２は、保護部３４に収納されている。端子保持部材３１の上下方向における下部である第２端部３３には、貫通孔３３ａが設けられている（図１Ａ、図１Ｂ参照）。一次側の端子２１が貫通孔３３ａに挿通され、一次側の端子２１をドライバ等の工具で締め付けることで、一次側の端子２１と端子保持部材３１とが接続される。これにより、開閉器用端子３０と本体部２０とは、電気的機械的に接続される。なお、一次側の端子２１の締め付けは、開閉器２が工場等から出荷される前に、一定のトルクで機械的に行われる。一定のトルクで一次側の端子２１の締め付けが行われた後、開閉器２は出荷される。
【００２８】
保護部３４は、非導電性の部材で形成されており、端子保持部材３１、特に略直方体形状である上部を収納し、外部から接触されないように保護している（図１Ａ参照）。保護部３４の第１端部３２には、圧着端子２０２が挿入されるための挿入口３５が設けられている。挿入口３５の中心部位には、端子保持部材３１の第１端部３２の先端が露出している。つまり、挿入口３５は、端子保持部材３１の第１端部３２に設けられている。挿入口３５の前後方向、左右方向には、圧着端子２０２を端子保持部材３１の隙間３１ｅへ誘い込むためのテーパ面３５ａ，３５ｂがそれぞれ設けられている。テーパ面３５ａ，３５ｂは、圧着端子２０２を端子保持部材３１の隙間３１ｅへ誘い込むので、挿入口３５から端子保持部材にガイドするガイド部として機能している。保護部３４の下部には、前後方向に対して貫通孔３６が設けられており、貫通孔３６から端子保持部材３１の第１板部３１ａの下端部に設けられた切欠部３１ｆへと続いている。
【００２９】
ここで、端子保持部材３１の形成方法について説明する。
【００３０】
端子保持部材３１は、図３Ａに示す１枚のＬ字形状の平板１００から形成される。図３Ａに示す破線Ｘ１を基準として平板１００を折り曲げる。その後、図３Ａに示す破線Ｘ２を基準として、第１板部３１ａと第２板部３１ｂとが対向するように折り曲げる。このとき、第１板部３１ａの左右方向における両端に比べて中央部位が第２板部３１ｂに近くなるように、第１板部３１ａを湾曲させる。最後に、図３Ａに示す破線Ｘ３を基準として折り曲げることで、図１ｂに示す端子保持部材３１が形成される。
【００３１】
図３Ｂは、図１Ｂに示す端子保持部材３１を上から見た図である。隙間３１ｅの前後方向において、第１板部３１ａの中央部位と第２板部３１ｂとの間隔Ｌ１は、圧着端子２０２の厚さよりも小さい。隙間３１ｅの左右方向における幅Ｌ２は、圧着端子２０２の径と略同一である。圧着端子２０２が隙間３１ｅに挿入されると、第１板部３１ａの中央部位と第２板部３１ｂとの幅は、間隔L１よりも広がる。しかしながら、第１板部３１ａは、左右方向における両端に比べて中央部位が第２板部３１ｂに近くなるように第１板部３１ａを湾曲させるように形成されているので、ばね性を有している。そのため、復元力により、一旦広がった幅は元の間隔L１に戻ろうとするので、圧着端子２０２は前後方向において押圧される。さらに、隙間３１ｅの左右方向における幅Ｌ２は、圧着端子２０２の径と略同一であるので、端子保持部材３１の左右に位置する第３板部３１ｃ及び第４板部３１ｄで押圧される。
【００３２】
したがって、圧着端子２０２が端子保持部材３１の隙間３１ｅに挿入されると、圧着端子２０２は前後左右方向から押圧されるので、隙間３１ｅから圧着端子２０２が抜け出る可能性が低くなる。
【００３３】
次に、圧着端子２０２が開閉器用端子３０に挿入される前後の開閉器用端子３０の状態について説明する。
【００３４】
図４Ａは、圧着端子２０２が開閉器用端子３０に挿入される前の開閉器用端子３０の状態を表す図である。図４Ｂは、圧着端子２０２が開閉器用端子３０に挿入された後の開閉器用端子３０の状態を表す図である。
【００３５】
上述したように、貫通孔３６は端子保持部材３１の切欠部３１ｆに連続しているので、圧着端子２０２が開閉器用端子３０に挿入される前では、貫通孔３６から端子保持部材３１の第２板部３１ｂの一部が見えている状態である。圧着端子２０２が開閉器用端子３０に挿入され、圧着端子２０２の先端部が保護部３４の底面３７に到達すると、第２板部３１ｂの前方に圧着端子２０２が位置することになるので、貫通孔３６からは圧着端子２０２の一部が見えている状態になる。
【００３６】
これにより、圧着端子２０２を開閉器用端子３０に挿入する際に、貫通孔３６から見える対象が端子保持部材３１の第２板部３１ｂから圧着端子２０２へと変わることを確認することで、圧着端子２０２が隙間３１ｅの正常に挿入されたか否かを知ることができる。よって、貫通孔３６は、圧着端子２０２が端子保持部材３１に正常に挿入されているか否かを表示する表示部に相当する。
【００３７】
（実施形態２）
本実施形態では、圧着端子２０２が端子保持部材３１から抜けることを防止するロック機構及びロックを解除する解除機構を有する点が、実施形態１とは異なる。以下、本実施形態の開閉器２及び開閉器用端子３０について、実施形態１とは異なる点を中心に説明する。なお、実施形態１と同様の構成要素には同一の符号を付して説明を適宜省略する。
【００３８】
本実施形態の開閉器２の開閉器用端子３０が有する端子保持部材３１では、第１板部３１ａの中央部位に貫通孔３１ｇが設けられている（図５Ａ参照）。
【００３９】
本実施形態の開閉器２の開閉器用端子３０は、実施形態１の構成に加えて、さらにロック部３００及び解除部４００を備えている（図５Ｂ参照）。
【００４０】
ロック部３００は、図５Ｂに示すように、ロック本体部３０１とばね３０２とを有している。ロック本体部３０１の前後方向における両端のうち一端（先端部）は先端に向うにつれて上下方向における幅が小さくなっている（上下方向に傾斜している）傾斜面３０３を有し、端子保持部材３１の貫通孔３１ｇに挿通している。ロック本体部３０１の前後方向における両端のうち他端にはばね３０２の一端が設けられている。ばね３０２は、上述したように両端のうち一端はロック本体部３０１に設けられており、他端は、保護部３４の前面に設けられている。
【００４１】
解除部４００は、圧着端子２０２のロックを解除するための非導電性の部材である。解除部４００は、断面形状がＬ字状であり、第１部位４０１と第２部位４０２とを形成されている。第１部位４０１の先端部は、保護部３４から露出している。第２部位４０２の先端部は、ロック本体部３０１の傾斜面３０３に当接している。また、解除部４００は、軸４０３を中心として回転可能に構成されている。
【００４２】
圧着端子２０２が開閉器用端子３０に挿入される前では、ロック本体部３０１の先端部は、第２板部３１ｂに当接している。圧着端子２０２が開閉器用端子３０に挿入され、圧着端子２０２の先端がロック本体部３０１の先端部に当接する。さらに圧着端子２０２が開閉器用端子３０に挿入されると、ロック本体部３０１の先端部が上下方向に傾斜しているので、ばね３０２が縮む方向に移動するのでロック本体部３０１は前方に移動する。その後、圧着端子２０２の先端が底面３７まで到達すると、圧着端子２０２には貫通孔２０３が設けられているので、ばね３０２は伸びる方向に移動する。その結果、ロック本体部３０１の先端部は、圧着端子２０２の貫通孔２０３に挿通して第２板部３１ｂに当接する（図５Ｃ参照）。
【００４３】
圧着端子２０２がロックされた状態（図５Ｃの状態）で、解除部４００の第１部位４０１の先端（露出している部位）を図５Ｄにおいて反時計回りに回転させると、第２部位４０２の先端部が回転することになり、ロック本体部３０１が前方に移動する。これにより、ロックが解除される。
【００４４】
ロック機構は、上述した構成に限定されない。例えば、鎖錠ばねのような板ばねを用いて板ばねの押力により圧着端子２０２をロックしてもよい。このとき、解除部４００は、押力を減少させる構成であればよい。また、別のロック機構の構成として、電源線２０１を固定することで、圧着端子２０２が開閉器用端子３０から抜け出ることを防止する構成であってもよい。この場合の解除部は、電源線２０１が固定されている状態を解除する構成であればよい。
【００４５】
（実施形態３）
本実施形態では、圧着端子２０２と端子保持部材３１との接続部分の温度を検出し、計測結果を通知する点が、実施形態１とは異なる。以下、本実施形態の開閉器２及び開閉器用端子３０について、実施形態１とは異なる点を中心に説明する。なお、実施形態１と同様の構成要素には同一の符号を付して説明を適宜省略する。
【００４６】
本実施形態の開閉器２が備える開閉器用端子３０は、実施形態１の構成に加えて、さらに温度検出部５０及び通知部５１を備えている（図６参照）。なお、通知部５１は、複数の開閉器用端子３０のそれぞれに備えられてもよいし、複数の開閉器用端子３０のうち１つの開閉器用端子３０に備えられてもよい。本実施形態では、複数の開閉器用端子３０のうち１つの開閉器用端子３０に通知部５１が備えられている。
【００４７】
温度検出部５０は、例えばサーミスタを有しており、端子保持部材３１に設けられ、端子保持部材３１と圧着端子２０２との接続部分の温度を検出する。
【００４８】
通知部５１は、通信機能を有しており、各温度検出部５０の検出結果を、例えば分電盤1に設けられた通信アダプタを介してＨＥＭＳ（home energy management system）のコントローラに送信する。なお、検出結果の送信先は、携帯電話機、スマートフォン、タブレット、パーソナルコンピュータ等の情報端末であってもよい。
【００４９】
なお、通知部５１は、通信機能ではなく、ＬＥＤ（light emitting diode）等のような光を発する発光機能、ブザー音等の音を発する音出力機能等を有していてもよい。または、通知部５１は、通信機能、発光機能及び音出力機能のうち２つ以上の機能を有していてもよい。
【００５０】
通知部５１が発光機能を有している場合、各温度検出部５０の検出結果のうち、少なくとも１つの温度検出部５０の検出結果（計測された温度）が所定値以上である場合には、光を発光して通知する。通知部５１が音出力機能を有している場合、各温度検出部５０の検出結果のうち、少なくとも１つの温度検出部５０の検出結果（計測された温度）が所定値以上である場合には、ブザー音等の音を出力して通知する。
【００５１】
なお、本実施形態で説明した温度検出部５０及び通知部５１は、実施形態２に示す開閉器用端子３０に設けてもよい。
【００５２】
また、本実施形態の開閉器用端子３０を、既存の主幹開閉器（本実施形態の本体部２０に相当）に取り付けも可能である。開閉器用端子３０を、既存の主幹開閉器に取り付けた場合でも温度検出が可能となる。
【００５３】
（実施形態４）
本実施形態では、端子保持部材３１で流れる電流を計測し、計測結果を通知する点が、実施形態１とは異なる。以下、本実施形態の開閉器２及び開閉器用端子３０について、実施形態１とは異なる点を中心に説明する。なお、実施形態１と同様の構成要素には同一の符号を付して説明を適宜省略する。
【００５４】
本実施形態の開閉器２が備える開閉器用端子３０は、実施形態１の構成に加えて、さらに電流計測部６０及び通知部６１を備えている（図７参照）。なお、通知部６１は、複数の開閉器用端子３０のそれぞれに備えられてもよいし、複数の開閉器用端子３０のうち１つの開閉器用端子３０に備えられてもよい。本実施形態では、複数の開閉器用端子３０のうち１つの開閉器用端子３０に通知部６１が備えられている。
【００５５】
電流計測部６０は、端子保持部材３１に設けられ、圧着端子２０２が挿入された状態で端子保持部材３１に流れる電流を計測する。
【００５６】
通知部６１は、通信機能を有しており、各電流計測部６０の計測結果を、例えば分電盤1に設けられた通信アダプタを介してＨＥＭＳのコントローラに送信する。なお、検出結果の送信先は、携帯電話機、スマートフォン、タブレット、パーソナルコンピュータ等の情報端末であってもよい。
【００５７】
なお、通知部６１は、通信機能ではなく、ＬＥＤ等のような光を発する発光機能、ブザー音等の音を発する音出力機能等を有していてもよい。または、通知部６１は、通信機能、発光機能及び音出力機能のうち２つ以上の機能を有していてもよい。
【００５８】
通知部６１が発光機能を有している場合、各電流計測部６０の検出結果のうち、少なくとも１つの電流計測部６０の検出結果（計測された電流値）が所定値以上である場合には、光を発光して通知する。通知部６１が音出力機能を有している場合、各電流計測部６０の検出結果のうち、少なくとも１つの電流計測部６０の検出結果（計測された電流値）が所定値以上である場合には、ブザー音等の音を出力して通知する。
【００５９】
なお、本実施形態で説明した電流計測部６０及び通知部６１は、実施形態２に示す開閉器用端子３０に設けてもよいし、実施形態３に示す開閉器用端子３０に設けてもよい。
【００６０】
（変形例）
本発明の実施形態は、上記の各実施形態に限定されない。上記の各実施形態は、本発明の目的を達成できれば、設計等に応じて種々の変更が可能である。
【００６１】
上記各実施形態の保護部３４は、図８に示すように、透明の部材で形成されてもよい。この場合、端子保持部材３１の位置を視認することができる。なお、透明な部材は、少なくとも、保護部３４の前面に適用されていればよい。この場合、保護部３４を透明部材とすることで、端子保持部材３１の位置を視認することができるので、貫通孔３６は設けなくてもよい。図８では、貫通孔３６を設けていない場合の保護部３４を記載している。
【００６２】
上記各実施形態では、開閉器２の本体部２０と開閉器用端子３０とは別体の構成としたが、一体型の構成であってもよい。例えば、端子保持部材３１の第２端部３３と、本体部２０の一次側の端子２１とがレーザ溶接、ロウ付け等の方法で一体形成されてもよい。要するに、開閉器２の本体部２０と開閉器用端子３０とは、レーザ溶接、ロウ付け、ねじ止め等の方法で電気的、及び機械的に接続されていればよい。
【００６３】
上記各実施形態では、挿入口３５では、挿入口３５の前後方向、左右方向に、テーパ面３５ａ，３５ｂがそれぞれ設けられる構成としたが、この構成に限定されない。挿入口３５の前後方向、左右方向のうち少なくとも一方にテーパ面が設けられた構成であればよい。
【００６４】
上記各実施形態では、端子保持部材３１の第１板部３１ａにばね性を持たせる構成としたが、この構成に限定されない。第１板部３１ａと第２板部３１ｂとの双方にばね性を持たせてもよいし、第１板部３１ａの代わりに第２板部３１ｂにばね性を持たせてもよい。
【００６５】
上記各実施形態の開閉器２は、主幹開閉器として用いられるが、本発明に係る実施形態の開閉器２は主幹開閉器に限定されない。本発明に係る実施形態の開閉器２は、例えば、分岐開閉器、及び連系開閉器（連系ブレーカ）、解列器等であってもよい。連系開閉器又は解列器として用いられる開閉器においては、分散電源と電気的に接続される。
【００６６】
上記各実施形態の開閉器２において、開閉器用端子３０は本体部２０の一次側の端子２１と電気的に接続される構成としたが、この構成に限定されない。開閉器用端子３０は、本体部２０の二次側の端子２２と電気的に接続されてもよい。この場合、例えば、導電バー５（本開示の電線の心線に相当）の一端の圧着端子２０２が設けられる。または、導電バー５の一端が圧着端子２０２を兼ねてもよく、この場合には導電バー５の一端が圧着端子に相当する。
【００６７】
（まとめ）
以上説明したように、第１の態様の開閉器用端子（３０）は、端子保持部材（３１）と、挿入口（３５）とを備える。端子保持部材（３１）は、電線の心線に取り付けられる圧着端子（２０２）を保持する。挿入口（３５）は、圧着端子（２０２）が挿入される挿入方向における端子保持部材（３１）の一端に設けられ、圧着端子（２０２）が挿入される。挿入方向における端子保持部材（３１）の他端は、端子保持部材（３１）の一端と電気的に接続され、かつ開閉器本体（本体部２０）と電気的機械的に接続されている。
【００６８】
この構成によると、開閉器用端子（３０）に圧着端子（２０２）が挿入されると、端子保持部材（３１）は圧着端子（２０２）を保持する。そのため、作業者は、圧着端子（２０２）を開閉器用端子（３０）に挿入するだけで、圧着端子（２０２）と開閉器本体とを電気的に接続することができる。したがって、作業者は、圧着端子（２０２）と端子とを締め付ける必要がないので、作業者の作業によって生じる開閉器本体と圧着端子（２０２）とを接続の不具合を低減することができる。
【００６９】
第２態様の開閉器用端子（３０）では、第１の態様において、端子保持部材（３１）は、導電性を有する平板（１００）が折り曲げられて、圧着端子（２０２）を囲んでいる。この構成によると、端子保持部材（３１）は、簡単な構成で圧着端子（２０２）を保持することができる。
【００７０】
第３の態様の開閉器用端子（３０）では、第２の態様において、端子保持部材（３１）の厚さ方向の両側（第１板部３１ａ、第２板部３１ｂ）のうち少なくとも一方側は、ばね性を有している。この構成によると、ばねの押力によって、圧着端子（２０２）を保持することができる。
【００７１】
第４の態様の開閉器用端子（３０）は、第１〜第３のいずれかの態様において、圧着端子（２０２）が端子保持部材（３１）に正常に挿入されているか否かを表示する表示部（貫通孔３６）を、更に備える。この構成によると、作業者は、圧着端子（２０２）が端子保持部材（３１）に正常に挿入されたか否かを知ることができる。
【００７２】
第５の態様の開閉器用端子（３０）は、第１〜第４のいずれかの態様において、圧着端子（２０２）が端子保持部材（３１）から抜けることを防止するロック部（３００）を、更に備える。この構成によると、圧着端子（２０２）を確実に保持することができる。また、外部からの衝撃等があっても圧着端子が抜ける可能性を低くすることができる。
【００７３】
第６の態様の開閉器用端子（３０）は、第５の態様において、圧着端子（２０２）が挿入された状態である場合に、ロック部（３００）により圧着端子（２０２）が端子保持部材（３１）から抜けることを防止された状態を解除する解除部（４００）を、更に備える。この構成によると、解除部を用いることで作業者が意識して圧着端子（２０２）が端子保持部材（３１）から抜けることを防止された状態を解除することができる。
【００７４】
第７の態様の開閉器用端子（３０）では、第１〜第６のいずれかの態様において、挿入口（３５）は、第１方向（例えば前後方向）及び第２方向（例えば左右方向）のうち少なくとも一方の方向において、圧着端子（２０２）を端子保持部材（３１）にガイドするガイド部（テーパ面３５ａ，３５ｂ）を有する。ここで、第１方向は、挿入方向に対して直交する方向であり、第２方向は、挿入方向と第１方向との双方に直交する方向である。この構成によると、挿入口（３５）が直接見えない場所であっても、ガイド部を有することで、端子保持部材までガイドすることができる。
【００７５】
第８の態様の開閉器用端子（３０）では、第１〜第７のいずれかの態様において、端子保持部材（３１）は、一部が露出した状態で挿入口（３５）を有する保護部（３４）に収納されている。保護部（３４）は、透明な部材で形成されている。この構成によると、挿入口（３５）から端子保持部材（３１）へと圧着端子（２０２）が挿入されることを作業者は視認することができる。
【００７６】
第９の態様の開閉器用端子（３０）は、第１〜第８のいずれかの態様において、温度検出部（５０）と、温度通知部（通知部５１）とを、さらに備える。温度検出部（５０）は、端子保持部材（３１）に設けられ、端子保持部材（３１）と圧着端子（２０２）との接続部位の温度を検出する。温度通知部は、温度検出部（５０）での検出結果を通知する。ここで、通知とは、信号の送信及び光の発光、音の出力を含む。この構成によると、開閉器用端子（３０）は、加熱等の有無を通知することができる。これにより、通知を受ける者は、開閉器用端子（３０）の状態を監視することができる。
【００７７】
第１０の態様の開閉器用端子（３０）は、第１〜第９のいずれかの態様において、電流計測部（６０）と、電流通知部（通知部６１）とを、更に備える。電流計測部（６０）は、端子保持部材（３１）に設けられ、圧着端子（２０２）が挿入された状態で端子保持部材（３１）に流れる電流を計測する。電流通知部は、電流計測部（６０）の計測結果を通知する。ここで、通知とは、信号の送信及び光の発光、音の出力を含む。この構成によると、開閉器用端子（３０）は、過電流の有無等を通知することができる。また、電流センサを別途設ける必要がないので、例えば分電盤（１）内のスペースの合理化を図ることができる。
【００７８】
第１１の態様の開閉器（２）は、第１〜１０のいずれか態様の開閉器用端子（３０）と、開閉器用端子（３０）と負荷側端子（二次側の端子２２）との間の接続を開閉する機能を有する開閉器本体（本体部２０）とを備える。この構成によると、作業者は、圧着端子（２０２）と端子とを締め付ける必要がないので、作業者の作業によって生じる開閉器本体と圧着端子（２０２）とを接続の不具合を低減することができる。
【符号の説明】
【００７９】
２    開閉器
２０    本体部（開閉器本体）
３０    開閉器用端子
３１    端子保持部材
３４    保護部
３５    挿入口
３５ａ，３５ｂ  テーパ面（ガイド部）
３６    貫通孔（表示部）
５０    温度検出部
５１    通知部（温度通知部）
６０    電流計測部
６１    通知部（電流通知部）
１００    平板
２０１    電源線（電線）
２０２    圧着端子
３００    ロック部
４００    解除部
【図１】
2019032979.tif 000003
【図２】
2019032979.tif 000004
【図３】
2019032979.tif 000005
【図４】
2019032979.tif 000006
【図５】
2019032979.tif 000007
【図６】
2019032979.tif 000008
【図７】
2019032979.tif 000009
【図８】
2019032979.tif 000010